(57)【要約】【課題】  従来の磁気活性装置は、電磁気を活用していないため永久磁石による磁力を強化する以外に活性化の効率を向上する方法がないという問題があり、ネオジム磁石等の強力な磁力を持つ永久磁石が使われており高価なものになる問題があった。【解決手段】  永久磁石による磁気と、電磁気活用により永久磁石上に閉ループ状に形成された非磁性体からなる金属層で構成されたコイルを流れる電流によって前記コイルの周りに生じる磁場キャンセル、前記コイルの高い周波数の付与による活性化及び微細化、永久磁石上にメビウス状に形成された帯状の非磁性体からなる導電性金属層で構成されたコイルを流れる電流によって前記コイルの周りに生じる磁場のキャンセルの相乗効果によりフェライト等の強力でない永久磁石でも磁気活性化を実現することが可能な、効率的で活性度の高い磁気活性装置を廉価に実現したものである。【選択図】図４
2020116557.tif 000002
【特許請求の範囲】
【請求項１】
活性物の外周部に設けられたケース体と、このケース体に保持され、活性物に接する側に永久磁石を設けた磁石収納体を具備してなる磁気活性装置において、活性物側に接する側、第一グループの永久磁石面上に帯状の非磁性体からなる導電性金属層Ａ及び、第一グループの永久磁石に重ねて載置された第二グループの永久磁石面上に帯状の非磁性体からなる導電性金属層Ｂを、各々閉ループとなるように形成したことを特徴とする磁気活性装置。
【請求項２】
前記、第一グループの活性物に接する側と反対側の永久磁石面上に帯状の非磁性体からなる導電性金属層Ｃ及び、第二グループの活性物に接する側と反対側の永久磁石面上に帯状の非磁性体からなる導電性金属層Ｄを各々閉ループとなるように形成したことを特徴とする第１項記載の磁気活性装置。
【請求項３】
前記、非磁性体からなる導電体金属層Ａ、Ｂ、Ｃ、Ｄの閉ループ長さが略１００〜２００ｍｍとなることを特徴とする第１，２項記載の磁気活性装置。
【請求項４】
前記、金属層Ａと金属層Ｃは電気的にメビウス状に接続されていることを特徴とする第１項、第２項記載の磁気活性装置。
【請求項５】
前記、金属層Ｂと金属層Ｄは電気的にメビウス状に接続されていることを特徴とする第１項、第２項記載の磁気活性装置。
【請求項６】
前記、金属層Ａと金属層Ｃ及び金属層Ｂと金属層Ｄの上下の金属層を逆方法に流れる電流によって発生する磁場をキャンセルしたことを特徴とする第１項、第２項、第４項、第５項記載の磁気活性装置。
【発明の詳細な説明】
【技術分野】
【０００１】  本発明は、磁力により物質を活性化させる磁気活性装置に関し、特に磁力と電磁気を用いた磁気活性装置に関する。
【背景技術】
【０００２】  磁力を利用して水等の流体を活性化させる磁気活性装置として図６に示すようにケーシング内部に設けられた流体通路の周囲に少なくとも１対の永久磁石を配置し、永久磁石の磁力によって流体通路を流れる流体を活性化させる流体の活性化装置において、流体通路と永久磁石の間に設けられ流体通路を包囲する非磁性体からなる導電性金属層が設けられているが電磁気が活用されていない。これらの方法で、より効率的に行うためには、永久磁石の磁力を強化する以外には活性化の効率を向上する方法はなく、活性化の度合いが低く十分でないという問題点があり、更にネオジム磁石等の強力な磁力を持つ永久磁石が使われており高価なものになる問題があった。
【先行技術文献】
【特許文献】
【０００３】
【特許文献１】特許第４１３１４７９号（第１２頁、図２）
【発明の概要】
【発明が解決しようとする課題】
【０００４】  本発明はこれらの問題を解決して、装置構成が簡単で、かつ、電磁気活用により活性化率及び微細化に優れ、廉価に製造できる磁気活性装置を実現することを課題とする。
【課題を解決するための手段】
【０００５】  本発明は永久磁石の磁気と、電磁気活用により永久磁石上に閉ループ状に形成された非磁性体からなる導電性金属層で構成されたコイルを流れる電流によって前記コイルの周りに生じる磁場キャンセル、更に別の実施例では、永久磁石上に永久磁石を内側、外側と挟んで形成されたメビウス状コイルを流れる電流によってコイルの周りに発生する磁場キャンセルの相乗効果によりフェライト等の強力でない永久磁石でも磁気活性化実現することが可能な、効率的で活性度の高い磁気活性装置を廉価に実現したものである。【０００６】  本発明は、上記課題を達成するため、活性物の外周部に設けられたケース体と、このケース体に保持され、活性物に接する側に永久磁石を設けた磁石収納体を具備してなる磁気活性装置において、活性物側に接する側、第一グループの永久磁石面上に帯状の非磁性体からなる導電性金属層Ａ及び、第一グループの永久磁石に重ねて載置された第二グループの永久磁石面上に帯状の非磁性体からなる導電性金属層Ｂを、各々閉ループとなるように形成したことを特徴とする磁気活性装置を提供するものである。【０００７】  また、前記、第一グループの活性物に接する側と反対側の永久磁石面上に帯状の非磁性体からなる導電性金属層Ｃ及び、第二グループの活性物に接する側と反対側の永久磁石面上に帯状の非磁性体からなる導電性金属層Ｄを各々閉ループとなるように形成したことを特徴とする磁気活性装置を提供するものである。【０００８】  また、前記、非磁性体からなる導電体金属層Ａ、Ｂ、Ｃ、Ｄの閉ループ長さが略１００〜２００ｍｍとなることを特徴とする磁気活性装置を提供するものである。【０００９】  また、前記、金属層Ａと金属層Ｃは電気的にメビウス状に接続されていることを特徴とする磁気活性装置を提供するものである。【００１０】  また、前記、金属層Ｂと金属層Ｄは電気的にメビウス状に接続されていることを特徴とする磁気活性装置を提供するものである。【００１１】  また、前記、金属層Ａと金属層Ｃ及び金属層Ｂと金属層Ｄの上下の金属層を逆方法に流れる電流によって発生する磁場をキャンセルしたことを特徴とする磁気活性装置を提供するものである。
【発明の効果】
【００１２】  これにより、活性物を永久磁石による磁気と、永久磁石上に形成された非磁性体からなる閉ループ導電体金属層で構成されたコイルを流れる電流によって前記コイルの周りに生じる磁場キャンセル及び、活性物に前記コイルによる高い周波数を付与でき、更に永久磁石上に形成された帯状の非磁性体からなる導電性金属層により構成されたメビウス状コイルを流れる電流によってコイルの周りに生じる磁場のキャンセルの相乗効果によりフェライト等の強力でない永久磁石でも磁気活性化実現することが可能な、効率的で活性度の高い磁気活性装置を廉価に実現したものである。
【図面の簡単な説明】
【００１３】
【図１】本発明の磁気活性装置の構成を示す図である。
【図２】図１の下部に形成された磁石構成を示す図である。
【図３】磁石２０、６０の断面図である。
【図４】本発明の磁気活性装置の別の実施例の構成を示す図である。
【図５】図４の下部に形成された磁石構成を示す図である。
【図６】従来の磁気活性装置の一例を示す断面図である。
【発明を実施するための形態】
【００１４】  図１は、本発明に係る磁気活性装置の実施形態を示す。活性物１を取り巻いて第一グループの四角形状に永久磁石１０、２０、３０、４０、活性物１側の永久磁石面上には銅、銀等の帯状の非磁性体からなる導電性金属層２Ａを設ける。更には活性物１側に接する側と反対側の永久磁石面上には銅、銀等の帯状の非磁性体からなる導電性金属層３Ａを設ける。６は鉄等の磁性体からなる磁石収納体であり、７はステンレス、合成樹脂等で形成されたケース体である。
【００１５】  図２は、図１の第一グループの四角形状の永久磁石１０、２０、３０、４０の下部に形成された、第二グループの四角形状の永久磁石５０、６０、７０、８０、活性物１側の永久磁石面上には銅、銀等の帯状の非磁性体からなる導電性金属層４Ａを設ける。更には活性物１側に接する側と反対側の永久磁石面上には銅、銀等の帯状の非磁性体からなる導電性金属層５Ａを設ける。
【００１６】  図３は、図１の第一グループの永久磁石２０と下部に形成された、第二グループの永久磁石６０の断面図であり、活性物１側の永久磁石面上には銅、銀等の帯状の非磁性体からなる導電性金属層２Ａ、４Ａが、更には活性物１側に接する側と反対側の永久磁石面上には銅、銀等の帯状の非磁性体からなる導電性金属層３Ａ、５Ａが設けられている。
【００１７】  図１、図２の帯状非磁性体からなる導電性金属層２Ａ、３Ａ、４Ａ，５Ａは１回巻のコイルＬ２Ａ、Ｌ３Ａ、Ｌ４Ａ、Ｌ５Ａと見なすことができる。永久磁石による磁場がＳ極−Ｎ極−Ｓ極−Ｎ極の閉ループとなっているためコイルＬ２Ａ、Ｌ３Ａ、Ｌ４Ａ、Ｌ５Ａに電流Ｉ２Ａ、Ｉ３Ａ、Ｉ４Ａ、Ｉ５Ａが流れるが図３に示すように上下の永久磁石は異極性であるため流れる電流は上下でお互いに逆方向へ流れる。電流Ｉ２Ａ、Ｉ３Ａ、Ｉ４Ａ、Ｉ５Ａの周囲に磁場が形成されるが上下でお互いに逆方向となる。電流Ｉ２Ａ、Ｉ３Ａ、Ｉ４Ａ、Ｉ５Ａの周囲に形成された磁場は活性物１に作用した後、上下でお互いに逆方向となるためキャンセルされる。
【００１８】  電流Ｉ２Ａ、Ｉ３Ａ、Ｉ４Ａ、Ｉ５Ａによる磁場はキャンセルされるが活性物１に作用を及ぼす。これは上下に載置された永久磁石による磁気が活性物１に作用した後、互いに方向が逆になるためキャンセルされることと同じである。
【００１９】  帯状の非磁性体からなる導電性金属層を上下永久磁石にまたがって形成した場合、永久磁石の磁場によって生じるコイルＬ２Ａ、Ｌ３Ａ、Ｌ４Ａ、Ｌ５Ａの電流Ｉ２Ａ、Ｉ３Ａ、Ｉ４Ａ、Ｉ５Ａは非磁性体からなる導電性金属層内でキャンセルされるためコイル周辺の磁場は小さくなる。このため強力な永久磁石が必要となる。
【００２０】  帯状非磁性体からなる導電性金属層を銅板等で形成した場合、周囲長さを１００ｍｍ、幅１５ｍｍとするとＣ＝１０×１０−１１Ｆ、Ｌ＝３．４５×１０−８Ｈとなるためｆ＝１／（２π√ＬＣ）＝２．７×１０８Ｈｚとなりこの周波数が活性物に付与されるため活性化及び微細化が大きく進む。付与する周波数は帯状非磁性体からなる導電性金属層の内径、外径の閉ループの長さ及び、幅を調整することにより選ぶことができる。
【００２１】  図４は、本発明に係る別の磁気活性装置の実施形態を示す。活性物１を取り巻いて第一グループの四角形状の永久磁石１０、２０、３０、４０、活性物１側の磁石面上には銅、銀等の帯状の非磁性体からなる導電性金属層２Ｂを設ける。更には活性物１側に接する側と反対側の永久磁石面上に銅、銀等の帯状の非磁性体からなる導電性金属層３Ｂを設ける。
導電性金属層２Ｂと導電性金属層３Ｂはメビウス状に電気的に接続されている。これは帯状銅板等を１回ひねってハンダ付け、溶接等により電気的に接続し、クロス部分を接触しないようにカットして永久磁石にはめれば実現できる。
【００２２】  図５は、図４の第一グループの四角形状の永久磁石１０、２０、３０、４０の下部に形成された、第二グループの四角形状の永久磁石５０、６０、７０、８０、活性物１側の永久磁石面上には銅、銀等の帯状の非磁性体からなる導電性金属層４Ｂを設ける。更には活性物１側に接する側と反対側の永久磁石面上には銅、銀等の帯状の非磁性体からなる導電性金属層５Ｂを設ける。導電性金属層４Ｂと導電性金属層５Ｂはメビウス状に電気的に接続されている。これは帯状銅板等を１回ひねってハンダ付け、溶接等により電気的に接続し、クロス部分を接触しないようにカットして永久磁石にはめれば実現できる。
【００２３】  図４、図５の帯状非磁性体からなるメビウス状導電性金属層２Ｂ、３Ｂ、４Ｂ、５Ｂは２本のコイルＬ２Ｂ−３Ｂ、Ｌ４Ｂ−５Ｂと見なすことができる。永久磁石による磁場がＳ極−Ｎ極−Ｓ極−Ｎ極の閉ループとなっているためコイルＬ２Ｂ−３Ｂ、Ｌ４Ｂ−５Ｂに電流Ｉ２Ｂ−３Ｂ、Ｉ４Ｂ−５Ｂが流れる。図４、図５に示すように上下の永久磁石は異極性であるため流れる電流は上下でお互いに逆方向へ流れる。電流Ｉ２Ｂ−３Ｂ、Ｉ４Ｂ−５Ｂの周囲に磁場が形成されるが上下でお互いに逆方向となる。電流Ｉ２Ｂ−３Ｂ、Ｉ４Ｂ−５Ｂの周囲に形成された磁場は活性物１に作用した後、上下でお互いに逆方向となるためキャンセルされる。
【００２４】  電流Ｉ２Ｂ−３Ｂ、Ｉ４Ｂ−５Ｂによる磁場はキャンセルされるが活性物１に作用を及ぼす。これは上下に載置された磁石による磁気が活性物１に作用した後、互いに方向が逆になるためキャンセルされることと同じである。
【００２５】  従来の永久磁石による磁気のみの作用に加えて、電磁気活用により帯状の非磁性体からなる導電性金属層で構成されたコイルＬ２Ａ、Ｌ３Ａ、Ｌ４Ａ、Ｌ５Ａ又はコイルＬ２Ｂ−３Ｂ、Ｌ４Ｂ−５Ｂを流れる電流による磁場キャンセルにより活性物１は効率よく活性化、微細化され、永久磁石を従来の強力なネオジム磁石等から強力でないフェライト磁石へ変えることが可能となるため廉価化が大きく進む。
【符号の説明】
【００２６】１    活性物
１０、２０、３０、４０、５０、６０、７０、８０
永久磁石
２Ａ、４Ａ
内側帯状の非磁性体からなる導電性金属層
３Ａ、５Ａ
外側帯状の非磁性体からなる導電性金属層
２Ｂ、４Ｂ
内側帯状の非磁性体からなるメビウス形状の導電性金属層
３Ｂ、５Ｂ
外側帯状の非磁性体からなるメビウス形状の導電性金属層
６    磁石収納体
７    ケース体
【図１】
2020116557.tif 000003
【図２】
2020116557.tif 000004
【図３】
2020116557.tif 000005
【図４】
2020116557.tif 000006
【図５】
2020116557.tif 000007
【図６】
2020116557.tif 000008